(57)【要約】【課題】  スポーツ用手袋においては、手挿入部に手を挿入し易くするための横開き部を形成しているが、この横開き部は締付ファスナーで引き寄せても開放されたままであるので、雨天時に使用すると、該横開き部から手袋内に雨水が浸入して、比較的短時間で手袋内部がズクズクに濡れてしまう。【解決手段】  不透水性生地からなる手袋本体１の手挿入部２に形成している横開き部３を締付ファスナー５で引き寄せ得るようにしたスポーツ用手袋において、横開き部３を不透水性生地からなるマチ材４で閉塞していることにより、該横開き部３からの雨水の浸入を阻止し得るようにしている。【選択図】      図１
2006045718.tif 000002
【特許請求の範囲】
【請求項１】
不透水性生地からなる手袋本体（１）の手挿入部（２）に指先側に向けて切り込んだ横開き部（３）を形成するとともに、該横開き部（３）を締付ファスナー（５）で引き寄せ得るようにしたスポーツ用手袋であって、前記横開き部（３）を不透水性生地からなるマチ材（４）で閉塞していることを特徴とするスポーツ用手袋。
【請求項２】
請求項１において、手挿入部（２）に手袋本体（１）の生地に連続して帯ゴムからなる収縮部（６）を設け、該収縮部（６）における横開き部（３）が対応する部分に切り離し部（６ａ）を設けるとともに、該切り離し部（６ａ）を引き寄せる別の締付ファスナー（７）を取付けたことを特徴とするスポーツ用手袋。
【請求項３】
請求項１又は２において、手袋本体（１）及び横開き部（３）のマチ材（４）の各生地として天然皮革又は合成皮革を使用するとともに、前記手袋本体（１）の外面及び前記マチ材（４）の外面にそれぞれ撥水剤による防水加工を施したことを特徴とするスポーツ用手袋。
【発明の詳細な説明】
【技術分野】
【０００１】
本願発明は、例えばゴルフや野球やテニス等の屋外で行うスポーツ時に使用するスポーツ用手袋に関し、特に雨天時に適したスポーツ用手袋に関するものである。
【０００２】
この種のスポーツ用手袋として、図４に示すものが知られている。尚、この図４のスポーツ用手袋は、特許文献１（特開２００１−２７６２９３号公報）に開示されたものである。
【０００３】
ところで、この種のスポーツ用手袋（例えばゴルフ用手袋）は、手に装着したときのフィット感を重視することから、一般に天然皮革や合成皮革等の伸縮性のない生地で手にピッタリするサイズに形成されている。従って、図４に示す公知のスポーツ用手袋においても、手袋内部に手を挿入し易くするために、手挿入部２に指先側に向けて切り込んだ横開き部３を形成している。この横開き部３は、締付ファスナー５（一対の面ファスナー５ａ，５ｂ）で引き寄せ得るようになっている。尚、この横開き部３は、締付ファスナー５で引き寄せても、開口幅は細くなるものの隙間があいたままである。
【０００４】
又、図４のスポーツ用手袋では、各指袋１３，１３・・の甲部に通気用の小孔１９を多数形成している。
【０００５】
【特許文献１】特開２００１−２７６２９３号公報
【発明の開示】
【発明が解決しようとする課題】
【０００６】
ところで、ゴルフ競技等の屋外で行うスポーツは、雨天時にも行われるが、上記した図４のスポーツ用手袋を装着して雨天時に使用すると、横開き部３が締付ファスナー５で引き寄せられているものの、横開き部３は開放されたままであるので雨水が横開き部３から手袋内に浸入する。又、手袋装着状態において、手挿入部２は単に締付ファスナー５で引き寄せているだけなので、水滴が手首の肌を伝って手挿入部２から手袋内に浸入することもある。さらに、図４の手袋では、指袋１３の甲部にある通気用の各小孔１９，１９・・からも雨水が手袋内に浸入する。又、手袋の生地として天然皮革や合成皮革を使用したものでは、該生地に水を通しにくい性質を有しているが、雨水が長時間接触していると生地自体に水を吸収してしまう。
【０００７】
このように、従来（例えば図４）のスポーツ用手袋では、雨天時に使用すると、比較的短時間で手袋内部がズクズクに濡れてしまい、不快感を感じるとともにグリップ感が悪くなってプレーに悪影響を及ぼすという問題があった。従って、例えばゴルフ競技において雨天時には、手袋を何枚も持参し、濡れるごとに新しいものと取り替えながらプレーを行っているのが現状である。
【０００８】
尚、天然皮革や合成皮革等の生地に撥水剤による防水加工を施すことは、例えば特開平４−３３９９００号公報、特開２００４−２０３９４６号公報等によって公知になっている。そして、このような防水加工を施した生地を手袋生地に使用することが考えられるが、単に防水加工を施した生地で製作した手袋では、上記横開き部３や手挿入部２等から雨水が浸入する問題を解決することができない。
【０００９】
本願発明は、上記のように手袋内に雨水が浸入するという問題点に鑑み、主として横開き部から手袋内に水が浸入するのを防止でき、そのほかに手挿入部から又は手袋生地を通して手袋内に水が浸入するのを防止できるようにしたスポーツ用手袋を提供することを目的としてなされたものである。
【課題を解決するための手段】
【００１０】
本願発明は、上記課題を解決するための手段として次の構成を有している。尚、本願発明は、例えばゴルフ用手袋のようなスポーツ用手袋であって、特に雨天時に使用するのに適したスポーツ用手袋を対象にしている。
【００１１】
本願請求項１の発明
本願請求項１のスポーツ用手袋は、不透水性生地からなる手袋本体の手挿入部に指先側に向けて切り込んだ横開き部を形成するとともに、該横開き部を締付ファスナーで引き寄せ得るように構成している。
【００１２】
手袋本体の生地としては、天然皮革や合成皮革等の不透水性のものが使用される。そして、該生地を幾つかのパーツに裁断し、該各パーツを常法により縫製して手袋本体を構成している。尚、本願のスポーツ用手袋は、手袋内部に水が浸入するのを防止することを主目的にしている関係で、従来のスポーツ用手袋に設けていた通気用の小孔は全く形成していない。
【００１３】
ところで、天然皮革や合成皮革等の生地は、ほとんど伸縮性がなく、且つこの種のスポーツ用手袋では、フィット感を重視することから手にピッタリするサイズに形成されている。従って、この種のスポーツ用手袋には、手挿入部から手を挿入し易くするための横開き部を形成しているとともに、装着状態において横開き部を引き寄せる締付ファスナーを設けている。尚、締付ファスナーとしては、一対の面ファスナーが使用される。
【００１４】
ところで、上記横開き部は、締付ファスナーで引き寄せても、開口幅は細くなるものの開放されたままであり、雨天使用時には該横開き部から手袋内に雨水が浸入する。
【００１５】
そこで、本願請求項１の発明では、上記横開き部を不透水性生地からなるマチ材で閉塞している。このマチ材としては、例えば天然皮革や合成皮革等の可撓性を有する不透水性生地が使用できる。そして、このマチ材は、横開き部の全開口面積を弛みをもたせた状態で完全に閉塞するように取付けている。
【００１６】
この請求項１のスポーツ用手袋では、装着時には横開き部のマチ材を展張させて該横開き部を大きく開くことができ、該マチ材があっても手を挿入させるのに支障がない。又、この手袋内に手を挿入させた状態で、締付ファスナーにより横開き部を引き寄せると、手袋全体が手にフイットする。尚、横開き部を引き寄せたときには、そのマチ材が手袋本体の生地と手の肌との間で折畳まれた状態になる。
【００１７】
本願請求項１のスポーツ用手袋では、横開き部にマチ材を設けていることにより、雨水が該横開き部から浸入しようとしても該マチ材で阻止され、該横開き部から手袋内に雨水が浸入するこがない。
【００１８】
本願請求項２の発明
本願請求項２の発明は、上記請求項１のスポーツ用手袋において、手挿入部に手袋本体の生地に連続して帯ゴムからなる収縮部を設け、該収縮部における横開き部が対応する部分に切り離し部を設けるとともに、該切り離し部を引き寄せる別の締付ファスナーを取付けている。尚、以下の説明では、切り離し部を引き寄せる別の締付ファスナーを収縮部締付ファスナーといい、請求項１に記載した横開き部を引き寄せる締付ファスナーを本体部締付ファスナーということがある。
【００１９】
収縮部は、弾性を有する帯ゴム製で適宜幅を有し且つ手挿入部の大部分の長さ範囲（横開き部を除く長さ範囲）に取付けられている。尚、収縮部における切り離し部も横開き部の一部となるもので、該切り離し部も一連のマチ材で閉塞されている。
【００２０】
収縮部の切り離し部を引き寄せる収縮部締付ファスナーは、手袋本体部分の横開き部を引き寄せる本体部締付ファスナーとは別のものが使用されているが、この収縮部締付ファスナーも一対の面ファスナーが使用されている。
【００２１】
この第２実施例のスポーツ用手袋を使用するには、２つの締付ファスナーをそれぞれ外した状態で手挿入部から手を挿入した後、本体部締付ファスナーで手袋本体部分の横開き部を引き寄せ、続いて収縮部締付ファスナーで収縮部の切り離し部を引き寄せる。この装着状態では、手袋全体が手にフイットしており、さらに収縮部の切り離し部が収縮部締付ファスナーで引き寄せられているとともに収縮部（帯ゴム）の収縮作用によって、手袋の裾部内面の全周が手首の外周面に密着するようになる。従って、手袋の裾部（手挿入部）から手袋内に雨水が浸入するのを阻止できる。
【００２２】
本願請求項３の発明
本願請求項３の発明は、上記請求項１又は２のスポーツ用手袋において、手袋本体及び横開き部のマチ材の各生地として天然皮革又は合成皮革を使用するとともに、手袋本体の外面及びマチ材の外面にそれぞれ撥水剤による防水加工を施している。
【００２３】
この請求項３における防水加工は、生地の段階でその表面に撥水剤の皮膜を形成したり、あるいは手袋に成形した後に撥水剤をスプレー式に塗布するようにしてもよい。尚、この撥水剤による防水加工としては、例えば上記した特開平４−３３９９００号公報、又は特開２００４−２０３９４６号公報に記載されている技術を採用することができる。
【００２４】
ところで、天然皮革又は合成皮革では、特にその表面側は水を通しにくい性質を有しているが、長時間水が接触していると、その生地表面側からでも生地中に水が浸透するようになるる。しかし、この請求項３のように、手袋本体の外面及びマチ材の外面に撥水剤からなる防水加工を施していると、天然皮革又は合成皮革からなる生地であっても該生地外面部分で水が弾かれて生地中に水が浸透することがない。
【発明の効果】
【００２５】
本願請求項１の発明の効果
例えばゴルフ用手袋のようなスポーツ用手袋では、手を挿入し易くするために手挿入部に横開き部を形成しているが、このように横開き部を形成したものでは、雨天中のプレー時に該横開き部から手袋内に雨水が浸入して比較的短時間で手袋内部がズクズクに濡れてしまう。
【００２６】
これに対して、本願請求項１のスポーツ用手袋には、横開き部を不透水性生地からなるマチ材で閉塞しているので、該横開き部から手袋内への雨水の浸入を確実に防止することができる。従って、雨天中のプレーであっても、横開き部から手袋内に雨水が浸入しないので、長時間に亘って快適な状態（水で濡れていない状態）でプレーを行うことができるという効果がある。
【００２７】
本願請求項２の発明の効果
本願請求項２の発明は、上記請求項１のスポーツ用手袋において、手挿入部に手袋本体の生地に連続して帯ゴムからなる収縮部を設け、該収縮部における横開き部が対応する部分に切り離し部を設けるとともに、該切り離し部を引き寄せる別の締付ファスナーを取付けているので、装着状態では、手袋の裾部を手首外周面に密着させることができる。
【００２８】
従って、この請求項２のスポーツ用手袋では、手袋裾部からの雨水の浸入を阻止でき、上記請求項１の効果（横開き部からの雨水浸入阻止）に加えて、手袋内への雨水の浸入を一層確実に防止できるという効果がある。
【００２９】
本願請求項３の発明の効果
本願請求項３の発明は、上記請求項１又は２のスポーツ用手袋において、手袋本体及び横開き部のマチ材の各生地として天然皮革又は合成皮革を使用するとともに、手袋本体の外面及びマチ材の外面にそれぞれ撥水剤による防水加工を施しているので、天然皮革又は合成皮革からなる生地であっても該生地中に水が浸透することがない。
【００３０】
従って、この請求項３のスポーツ用手袋では、手袋本体部分及びマチ材部分の生地を通して水が浸透することがないので、上記請求項１又は２の効果に加えて、手袋内部が一層濡れにくくなるという効果がある。
【実施例】
【００３１】
図１〜図３を参照して本願実施例のスポーツ用手袋を説明すると、この実施例のスポーツ用手袋は、例えばゴルフ競技等の屋外で使用し且つ特に雨天時に使用するのに適したものである。
【００３２】
この実施例のスポーツ用手袋は、５本の指袋１３，１３・・を有する手袋本体１の手挿入部２に収縮部６を形成する一方、該手挿入部２に指先側に向けて切り込んだ横開き部３を形成している。又、この実施例のスポーツ用手袋では、横開き部３をマチ材４で閉塞しているとともに、該横開き部３を締付ファスナー（後述するように２つの締付ファスナー５，７を有している）で引き寄せ得るようにしている。
【００３３】
手袋本体１は、天然皮革又は合成皮革からなる不透水性生地を幾つかのパーツに裁断し、それらの各パーツを常法により縫製して形成されている。手袋本体１を構成するパーツは、通常は手甲材（４本の指甲部を含む）、手掌材（４本の指掌部を含む）、親指袋材、各指マチ材からなり、それらのパーツの所定の縁部同士を縫合して手袋本体１を形成している。尚、この実施例のスポーツ用手袋は、手袋内部に水が浸入するのを防止することを主眼にしている関係で、手袋本体１には、従来のスポーツ用手袋に設けていた通気用の小孔は全く形成していない。
【００３４】
手袋本体１の生地である天然皮革又は合成皮革は、ほとんど伸縮性がなく、且つスポーツ用手袋では、装着時にフイット感を出させるために手にピッタリするサイズに形成されている。そして、この実施例のスポーツ用手袋には、手挿入部２から手を挿入し易くするための横開き部３を形成しているとともに、装着状態で該横開き部３を引き寄せる締付ファスナー（この実施例では２つの締付ファスナー５，７）を設けている。
【００３５】
手袋本体１の手挿入部２部分に形成している収縮部６には、適宜幅（例えば１５〜２０mm幅）の帯ゴムが使用されている。この収縮部６は、手挿入部２の大部分の長さ範囲において手袋本体１の裾部に縫合して取付けられている。尚、この収縮部６は、横開き部３に対応する部分が切り離し部６ａとなっており、該収縮部６の切り離し部６ａも横開き部３の一部となる。
【００３６】
横開き部３は、この手袋の手挿入部２から指先側に向けてかなりの深さ（例えば５〜６cmの深さ）まで切り込んで形成している。又、この横開き部３は、収縮部６及び手袋本体１の甲部１１に跨がって形成されている。尚、横開き部３の縁部には、縁取り材３ａが取付けられている。
【００３７】
横開き部３は、その全開口面積をマチ材４で完全に閉塞している。このマチ材４には、手袋本体１の生地と同じ天然皮革又は合成皮革（可撓性を有する不透水性生地である）が使用されている。又、このマチ材４は、弛みをもたせた状態で取付けており、横開き部３をかなり大きく開放させ得るようにしている。尚、このマチ材４は、収縮部６の切り離し部６ａにも連続している。
【００３８】
横開き部３の締付ファスナーは、この実施例では、手袋本体１部分の横開き部３を引き寄せるための本体部締付ファスナー５と、収縮部６の切り離し部６ａを引き寄せる収縮部締付ファスナー７とを有している。この２つの締付ファスナー５，７は、それぞれ一対の面ファスナー５ａ，５ｂ、７ａ，７ｂを有しており、ベルト側の面ファスナー５ａ，７ａを、図１に符号５ａ′，７ａ′で示すように手袋甲部１１側の面ファスナー５ｂ，７ｂに対して剥離自在に接着させ得るようになっている。
【００３９】
図３に示すように、このスポーツ用手袋の掌部１２には、凹凸状に加工した滑り止め部１４が形成されている。この滑り止め部１４は、例えばゴム材を多数の小突起状に接着させたものを採用できる。尚、この滑り止め部１４は、図３に示すように手袋の掌部１２の全面（各指袋１３，１３・・を含む）に形成してもよく、あるいはグリップ握持時に該グリップに当たる部分のみに形成してもよい。
【００４０】
又、手袋本体１の全外面（各指袋１３，１３・・を含む甲部１１及び掌部１２の全外面）及びマチ材４の外面には、それぞれ撥水剤による防水加工を施している。この防水加工は、生地の段階でその表面に撥水剤の皮膜を形成したり、あるいは手袋に成形した後に撥水剤をスプレー式に塗布するようにしてもよい。尚、この撥水剤による防水加工としては、例えば上記した特開平４−３３９９００号公報、又は特開２００４−２０３９４６号公報に記載されている技術を採用してもよく、あるいはその他の公知の技術を採用してもよい。
【００４１】
この実施例のスポーツ用手袋は、図１に示すように２つの締付ファスナー５，７を開放させると、横開き部３を大きく開くことができ、横開き部３にマチ材４があっても手挿入部２から手を挿入させるのに支障がない。そして、この手袋内に手を挿入させた状態で、各ベルト側・面ファスナー５ａ，７ａを、横開き部３を引き寄せながらそれぞれ手袋甲部側・面ファスナー５ｂ，７ｂに接合させる（図１に符号５ａ′，７ａ′で示す状態）。尚、各締付ファスナー５，７の締め付けは、本体部締付ファスナー５側を先に行い、収縮部締付ファスナー７を後で行う。
【００４２】
このように、各締付ファスナー５，７を締め付けると、手袋全体が手にフィットする。尚、横開き部３を引き寄せたときには、該横開き部３のマチ材４が手袋本体１の生地と手の肌との間で折畳まれた状態になる（図２参照）。又、この締め付け状態では、図２に示すように収縮部６の切り離し部６ａが収縮部締付ファスナー７で引き寄せられているとともに収縮部６の収縮作用によって、手袋の裾部内面の全周が手首Ｈの外周面に密着するようになる。
【００４３】
この実施例のスポーツ用手袋は、次のような機能を有する。即ち、このスポーツ用手袋を装着して雨天時に使用しても、横開き部３がマチ材４で閉塞されているので該横開き部３から手袋内への雨水の浸入を阻止でき、又手袋の裾部においては収縮部６の収縮作用と収縮部締付ファスナー７による締め付けによって手袋の裾部内面の全周が手首Ｈの外周面に密着しているので該裾部から手袋内への雨水の浸入を阻止でき、さらに手袋本体１の外面及びマチ材４の外面にそれぞれ撥水剤による防水加工を施しているので雨水が手袋生地を浸透して手袋内に浸入することがない。
【００４４】
このように、この実施例のスポーツ用手袋では、上記したように複合的な雨水対策（防水対策）を施しているので、雨天時における手袋内への水の浸入を確実に阻止できる。従って、雨天時であっても雨水浸入による装着感が悪くならないので、手袋を何度も取り替える必要がなくなるとともに、プレーに悪影響が出ない。
【００４５】
又、この実施例のスポーツ用手袋では、手袋掌側に滑り止め加工１４を施しているので、グリップが雨水に濡れていても、グリップ握持状態で滑りにくくなるという機能を有する。従って、この実施例のスポーツ用手袋では、上記した複合的な雨水対策（防水対策）と手袋掌側の滑り止め加工１４とにより、雨天時に使用する場合に一層の使い易さを発揮できるものとなる。
【図面の簡単な説明】
【００４６】
【図１】本願実施例のスポーツ用手袋を甲側から見た図である。
【図２】図１のスポーツ用手袋における締付ファスナーを締め付けた状態での手挿入部の断面図（図１のII−II断面相当図）である。
【図３】図１のスポーツ用手袋を掌側から見た図である。
【図４】公知のスポーツ用手袋を甲側から見た図である。
【符号の説明】
【００４７】
１は手袋本体、２は手挿入部、３は横開き部、４はマチ材、５は締付ファスナー（本体部締付ファスナー）、６は収縮部、６ａは切り離し部、７は締付ファスナー（収縮部締付ファスナー）である。
【図１】
2006045718.tif 000003
【図２】
2006045718.tif 000004
【図３】
2006045718.tif 000005
【図４】
2006045718.tif 000006